(57)【要約】【課題】本発明は、安価かつ簡単に施工することができ、防蟻効果を長期的に維持することができるケーブルの防蟻構造を提供する。【解決手段】本発明に係るケーブルの防蟻構造は、管路２内に配設されたケーブル３の防蟻構造において、前記管路２の両端をそれぞれ封止部材４，４で閉塞すると共に、当該封止部材４，４で閉塞した前記管路２の閉塞空間内全体に、水溶化した防蟻剤を吸収させた吸水性高分子５を充填したものである。【選択図】図１
2009011128.tif 000002
【特許請求の範囲】
【請求項１】
管路内に配設されたケーブルの防蟻構造において、
前記管路の両端をそれぞれ封止部材で閉塞すると共に、当該封止部材で閉塞した前記管路の閉塞空間内全体に、水溶化した防蟻剤を吸収させた吸水性高分子を充填したことを特徴とする管路の防蟻構造。
【請求項２】
管路内に配設されたケーブルの防蟻工法において、
前記管路の両端をそれぞれ封止部材で閉塞すると共に、吸水性高分子を水溶化した防蟻剤と攪拌して防蟻剤を吸収させた吸水性高分子を、水と一緒に封止部材を貫通した注入管へ圧送して前記封止部材で閉塞した管路の閉塞空間内全体に充填する工程とを有することを特徴とするケーブルの防蟻工法。
【発明の詳細な説明】
【技術分野】
【０００１】
本発明は、管路内に配設されたケーブルの防蟻構造、及びその防蟻工法に関する。
【背景技術】
【０００２】
近年、安全性、美観面から、地中に埋設した管路内に電力ケーブル等の各種ケーブルを配設するケーブルの地中埋設化が進められている。一方で、地中に埋設したケーブルをシロアリが食害するといった問題が生じている。
【０００３】
従来より、シロアリの食害からケーブルを保護するために、ケーブルを配設した管路内に防蟻剤を噴霧したり、シロアリの食害に耐え得る保護層を被覆した防蟻ケーブル（例えば、特許文献１参照）に交換することが行われてきた。
【特許文献１】特開平９−２８２９５０号公報
【発明の開示】
【発明が解決しようとする課題】
【０００４】
しかし、ケーブルを配設した管路内に防蟻剤を噴霧する方法では、管路内に雨水や地下水等が流入するとケーブル表面等に付着した防蟻剤が流れ落ちてしまい、その後防蟻効果が発揮できなくなるといった欠点がある。また、既設のケーブルを防蟻ケーブルに交換する方法は、多大なコストと労力が必要であった。
【０００５】
そこで、本発明は斯かる実情に鑑み、安価かつ簡単に施工することができ、防蟻効果を長期的に維持することができるケーブルの防蟻構造及びその防蟻工法を提供しようとするものである。
【課題を解決するための手段】
【０００６】
請求項１の発明は、管路内に配設されたケーブルの防蟻構造において、前記管路の両端をそれぞれ封止部材で閉塞すると共に、当該封止部材で閉塞した前記管路の閉塞空間内全体に、防蟻剤を吸収させた吸水性高分子を充填したものである。
【０００７】
このように、防蟻剤を吸収した吸水性高分子が管路の閉塞空間内全体に充填されていることによって、シロアリの管路内への侵入を予防し、又はシロアリを駆除することができる。また、万が一、管路内に雨水や地下水等の水が流入しても、吸水性高分子内に吸収された防蟻剤は流入した水によって流されることがないので、防蟻効果を長期的に維持することが可能である。
【０００８】
請求項２の発明は、管路内に配設されたケーブルの防蟻工法において、前記管路の両端をそれぞれ封止部材で閉塞すると共に、吸水性高分子を水溶化した防蟻剤と攪拌して防蟻剤を吸収させた吸水性高分子を、水と一緒に封止部材を貫通した注入管へ圧送して前記封止部材で閉塞した管路の閉塞空間内全体に充填する工程とを有する方法である。
【０００９】
水溶化した防蟻剤を吸収させた吸水性高分子を、水と一緒に圧送することで管路内に充填しやすくなる。
【発明の効果】
【００１０】
本発明のケーブルの防蟻構造によれば、管路内への雨水等の流入によって防蟻剤が流されることがなく、防蟻効果を長期的に維持することが可能である。また、従来のように既存のケーブルを防蟻ケーブルに交換する必要がなく、安価かつ簡単にケーブルの防蟻構造を構築することができる。
【００１１】
また、本発明のケーブルの防蟻工法によれば、管路内に吸水性高分子を充填しやすくなり、その充填作業の能率が向上する。
【発明を実施するための最良の形態】
【００１２】
以下、本発の実施の形態を添付の図面を参照して説明する。
図１は、本発明に係るケーブルの防蟻構造の全体構成を示す。図１において、１はマンホール、２は地中に埋設された管路である。管路２はマンホール１，１間を連絡するように配設されている。この管路２内には、ケーブル３が挿通されている。管路２内に配設するケーブル３は、電力ケーブル、光ケーブル等の各種ケーブルを配設可能である。
【００１３】
管路２のマンホール１側へ開口した両端には、封止部材４，４が内嵌されている。封止部材４はその中央に孔部４ａを有し、その孔部４ａにケーブル３が挿通されている。この封止部材４によって、管路２の内面とケーブル３の外面との隙間を埋め、管路２の両端を閉塞している。
【００１４】
２つの封止部材４，４で閉塞した管路２の閉塞空間内の全体に、防蟻剤を吸収させた吸水性高分子５が充填されている。吸水性高分子５は、水を吸収していない乾燥状態では粉末状の部材であるが、水を吸収して膨張するとゲル化する性質を有するものである。防蟻剤は水溶性の防蟻剤であり、これを水に溶かした状態で吸水性高分子に吸収させている。図１では、ケーブルは１本のみ配設しているが、ケーブル及びそれを配設する管路をそれぞれ複数本並設してもよい。
【００１５】
以下、図２を参照して本発明のケーブルの防蟻工法について説明する。
図２に示すように、ケーブル３を挿通した管路２の両端に、注入管６と空気抜き管７を配設し、封止部材４にて管路２の両端を閉塞する。封止部材４は、セメントや、ゴム製又は樹脂製の栓などの公知のものを適用可能である。注入管６と空気抜き管７は、それぞれ封止部材４を貫通して管路２の閉塞空間内と外部を連通している。
【００１６】
図の一点鎖線の枠に示した貯水タンク８、攪拌機９、ポンプ１０及び流量圧力記録計１１、図示しない発電機を地上に設置する。貯水タンク８、攪拌機９、ポンプ１０及び流量圧力記録計１１を配水ホースで接続する。また、流量圧力記録計１１から伸びる配水ホースを、マンホール１側へ突出した注入管６に接続する。
【００１７】
上記攪拌機９内に、乾燥状態の吸水性高分子及び水溶性の防蟻剤を投入し、次いで、貯水タンク８に貯水された水を攪拌機９内に投入する。攪拌機９で吸水性高分子と防蟻剤と水を攪拌し、水溶化した防蟻剤を吸水性高分子が吸収して湿潤状態となったときにポンプ１０にて水と一緒に圧送する。圧送された吸水性高分子は、注入管６を通って管路２の閉塞空間内に注入される。そして、管路２の閉塞空間内全体に吸水性高分子が充填されたらポンプ１０を停止する。注入管６から上記配水ホースを外し、注入管６及び空気抜き管７を封止して、充填した吸水性高分子が外部に漏れないようにする。
【００１８】
また、注入管６を管路２の両端にそれぞれ配設し、両方の注入管６，６から吸水性高分子を充填してもよい。
【００１９】
このように、防蟻剤を吸収した吸水性高分子が管路の閉塞空間内全体に充填されていることによって、シロアリの管路内への侵入を予防し、又はシロアリを駆除することができる。また、万が一、管路内に雨水や地下水等の水が流入しても、吸水性高分子内に吸収された防蟻剤は流入した水によって流されることがないので、防蟻効果を長期的に維持することが可能である。
【００２０】
以上、本発明の一実施形態について説明したが、本発明は上述の実施形態に限定されるものではなく、本発明の要旨を逸脱しない範囲で、種々の変更を加え得ることは勿論である。
【図面の簡単な説明】
【００２１】
【図１】本発明に係るケーブルの防蟻構造の全体構成図である。
【図２】本発明に係るケーブルの防蟻工法の説明図である。
【符号の説明】
【００２２】
１    マンホール
２    管路
３    ケーブル
４    封止部材
５    吸水性高分子
６    注入管
７    空気抜き管
８    貯水タンク
９    攪拌機
１０  ポンプ
１１  流量圧力記録計
【図１】
2009011128.tif 000003
【図２】
2009011128.tif 000004